(57)【要約】【課題】  小空間や音響条件が変化する室内空間においても、ハウリングの発生を抑制することができ、初期反射音及び後部残響音の音響効果を良好することができる音場支援装置を提供する。【解決手段】  適応型音場支援装置１に、適応フィルタ２２を備えたハウリングキャンセル部３と初期反射音生成部４と後部残響音生成部５を設け、後部残響音生成部５には、室内空間の音響条件に基づいて後部残響音の音響効果を増強するＦＩＲフィルタ４３と、室内空間に仮想的に連設したカップルドルームの音響条件に基づいて後部残響音の音響効果を増強するＦＩＲフィルタ４５と、を設けて、音響ループを創り出すようにＦＩＲフィルタ４３とＦＩＲフィルタ４５とを並列に接続する。これにより、スピーカ５３からマイクロフォン１１へ至る帰還音を除去してハウリングを抑制するとともに、音源６７から放音された音の初期反射音及び後部残響音の音響効果を増強できる。【選択図】  図２
2006245669.tif 000002
【特許請求の範囲】
【請求項１】
室に設置され、音源が発した音及び周囲から伝搬する音を収音するマイクロフォンと、
前記室の音響を支援する音を放音するスピーカと、
前記スピーカから前記マイクロフォンへ至る音響帰還路の伝達関数を推定して、前記マイクロフォンの収音信号から、前記スピーカからの帰還音信号を除去する適応フィルタを有するハウリングキャンセル手段と、
前記帰還音信号が除去された収音信号を畳み込み、前記音源が発した音に応じて前記室で発生する初期反射音を模した初期反射音支援信号を生成する初期反射音支援信号生成手段と、
前記帰還音信号が除去された収音信号を畳み込み、前記音源が発した音が、前記室に仮想的に連設された第２の室と前記室との間で反響して発生する後部残響音を模した後部残響音支援信号を生成する後部残響音支援信号生成手段と、
前記初期反射音支援信号及び前記後部残響音支援信号を増幅して前記スピーカへ出力するアンプと、
を備えたことを特徴とする適応型音場支援装置。
【請求項２】
前記後部残響音支援信号生成手段は、前記第２の室の音響条件に基づくフィルタ係数が設定される第１のＦＩＲフィルタと、前記室の音響条件に基づくフィルタ係数が設定される第２のＦＩＲフィルタと、をループ状に接続してなり、
前記第１のＦＩＲフィルタの入力端に前記帰還音信号が除去された収音信号が入力され、前記第１のＦＩＲフィルタの出力端から後部残響音支援信号が取り出される請求項１に記載の適応型音場支援装置。
【請求項３】
前記後部残響音支援信号生成手段は、前記第１のＦＩＲフィルタの入力側に、前記室の音響条件に基づくフィルタ係数が設定される第３のＦＩＲフィルタを備えた請求項２に記載の適応型音場支援装置。
【請求項４】
前記後部残響音支援信号生成手段は、前記第１のＦＩＲフィルタの出力側に、前記室の音響条件に基づくフィルタ係数が設定される第４のＦＩＲフィルタを備えた請求項２または３に記載の適応型音場支援装置。
【発明の詳細な説明】
【技術分野】
【０００１】
既存の室内音響条件をベースに音響効果が増強されるように、音場を支援する音場支援装置に関し、特に設置条件や音場条件が悪い場合でもハウリングの発生を抑制して音響効果を増強できる音場支援装置に関する。
【背景技術】
【０００２】
コンサートホール・多目的ホールなどの音響施設では、ロック・ポップス・クラシックなど様々な音楽が演奏される。このような音響施設は、残響感・音量感・拡がり感といった音響効果が良好になるように設計されている。しかし、音響効果は、音響施設の規模や構造といった音場の状態や、演奏する音楽の種類によって異なっている。そのため、すべての音楽を最適な音響条件で演奏することができるように、音響施設の音響条件を調整することは困難であった。
【０００３】
そこで、従来、建築音響に関わる室内の主要な音響効果を、電気音響の支援により自然に変化させることができる音場制御装置が開示されている（例えば、特許文献１，２参照。）。
【特許文献１】特許第２７３７５９５号公報
【特許文献２】特許第２９５６６４２号公報
【発明の開示】
【発明が解決しようとする課題】
【０００４】
特許文献１，２に開示された音場制御装置は、ハウリングを抑制するために、マイクロフォン・スピーカの組み合わせを時間的に変える、またはフィルタを時間的に変化させる（ＦＭ変調）などの時変機能を音響帰還系に導入している。しかし、特許文献１，２に開示された音場制御装置では、具体的なハウリングの発生条件が装置の施工後に決まる。そのため、上記の時変機能を有効に動作させるためには、音場制御装置の施工後にハウリングが発生しないようにする調整が不可欠である。すなわち、音場制御装置の施工後に、装置から放音される音を実際に測定しながら、ループゲインの調整やイコライジング（音量、ゲイン、周波数特性などの調整）を行わなければならず、装置の調整に多くの手間と時間が必要になるという問題があった。
【０００５】
また、特許文献１，２に開示された音場制御装置は、スピーカから放音された残響音をマイクロフォンで収音して増幅する動作を繰り返すことにより、残響成分を増幅して、残響感・音量感・拡がり感などの音響効果を増加させる。そのため、上記の音場制御装置では、小空間のようにマイクロフォン・スピーカ間の距離を所定値以上確保できない音場条件であると、上記のようにハウリングの抑制機能を備えていても、ハウリングを制御することが難しくなる。また、上記のような小空間においてハウリングの発生を抑制するためには、音場制御装置のループゲインを低下させる必要がある。しかし、音場制御装置のループゲインを低下させると、十分な音響効果が得られないという問題があった。
【０００６】
さらに、特許文献１，２に開示された音場制御装置では、調整時と実際のホール使用時とで音場条件が異なるという問題があった。例えば、調整時はステージ上には何もない状態で行う。しかし、オペラ公演時にはステージ上に大道具を設置した状態となる。また、オーケストラの公演時にはステージ上に複数の演奏者が着席した状態になる。このように、ステージ上の状態が異なると、ホールの音響条件が変化する。さらに、ホール内の温度や湿度が変化しても、ホールの音響条件が変化する。そのため、音場制御装置の調整時にマージンをかなり取る必要がある。しかし、その結果としてシステムの効果を下げることになるという問題があった。
【０００７】
そこで、本発明は、上記の各問題を解決して、小空間や音響条件が変化する室内空間においても、ハウリングの発生を抑制することができ、初期反射音及び後部残響音による音響効果を良好にすることができる音場支援装置を提供することを目的とする。
【課題を解決するための手段】
【０００８】
（１）室に設置され、音源が発した音及び周囲から伝搬する音を収音するマイクロフォンと、
前記室の音響を支援する音を放音するスピーカと、
前記スピーカから前記マイクロフォンへ至る音響帰還路の伝達関数を推定して、前記マイクロフォンの収音信号から、前記スピーカからの帰還音信号を除去する適応フィルタを有するハウリングキャンセル手段と、
前記帰還音信号が除去された収音信号を畳み込み、前記音源が発した音に応じて前記室で発生する初期反射音を模した初期反射音支援信号を生成する初期反射音支援信号生成手段と、
前記帰還音信号が除去された収音信号を畳み込み、前記音源が発した音が、前記室に仮想的に連設された第２の室と前記室との間で反響して発生する後部残響音を模した後部残響音支援信号を生成する後部残響音支援信号生成手段と、
前記初期反射音支援信号及び前記後部残響音支援信号を増幅して前記スピーカへ出力するアンプと、
を備えたことを特徴とする。
【０００９】
この構成においては、適応型音場支援装置は、適応フィルタによってスピーカからマイクロフォンへ至る音響帰還路の伝達関数を推定して、スピーカからマイクロフォンへ至る帰還音信号をマイクロフォンの収音信号から除去する。また、適応フィルタは、室の音響条件が変化すると、この変化に応じて帰還音を減衰させるように音響帰還路の伝達関数を更新する。さらに、適応型音場支援装置では、帰還音信号を除去したマイクロフォンの収音信号を畳み込み、室内空間の音響条件に基づいた初期反射音及び後部残響音の支援信号、つまり残響時間の延長やレベル増強を行った初期反射音及び後部残響音の信号を生成する。したがって、ハウリングキャンセル手段によって帰還音信号をキャンセルしてハウリングの発生を防止・抑制しながら、初期反射音及び後部残響音の音響効果、すなわち残響感・音量感・拡がり感を室内空間の音響条件をベースにして増強（支援）できる。また、もしハウリングが発生しても、速やかにハウリングを減衰させることができる。さらに、マイクロフォンとスピーカとの距離が所定の距離以下で、従来の装置であればハウリングが確実に発生する条件の狭い室内空間においても、ハウリングの発生を抑制できる。加えて、室内空間の音場の条件が変化しても、スピーカからマイクロフォンへ至る帰還音信号をマイクロフォンの収音信号から確実に除去して、ハウリングの発生を抑制できる。
【００１０】
（２）前記後部残響音支援信号生成手段は、前記第２の室の音響条件に基づくフィルタ係数が設定される第１のＦＩＲフィルタと、前記室の音響条件に基づくフィルタ係数が設定される第２のＦＩＲフィルタと、をループ状に接続してなり、
前記第１のＦＩＲフィルタの入力端に前記帰還音信号が除去された収音信号が入力され、前記第１のＦＩＲフィルタの出力端から後部残響音支援信号が取り出されることを特徴とする。
【００１１】
この構成においては、第１のＦＩＲフィルタと第２のＦＩＲフィルタとをループ状に接続することで、音響ループを人工的に創り出す。そして、この音響ループにより、適応型音場支援装置を設置する室と、この室に仮想的に連設された第２の室と、の間で、音源から発した音が反響して発生する後部残響音を模した後部残響音支援信号が生成される。したがって、ループ状に接続した第１のＦＩＲフィルタ及び第２のＦＩＲフィルタにより、後部残響音の残響時間の延長及びレベルの増強を行うことができるとともに、室内空間の音響効果を増強できる。また、第１のＦＩＲフィルタに設定する第２の室の音響条件を変更することで、後部残響音の音響特性をを変えることが可能となる。
【００１２】
（３）前記後部残響音支援信号生成手段は、前記第１のＦＩＲフィルタの入力側に、前記室の音響条件に基づくフィルタ係数が設定される第３のＦＩＲフィルタを備えたことを特徴とする。
【００１３】
この構成においては、第１のＦＩＲフィルタの入力側に第３のＦＩＲフィルタを備えているので、マイクロフォンと音源との距離が近いために後部残響音を十分に収音できない場合に、この第３のＦＩＲフィルタによって直接音の収音信号を畳み込んで、その室で発生する後部残響音の疑似信号を生成させることができる。したがって、残響音生成フィルタによって生成された後部残響音の疑似信号を、第１のＦＩＲフィルタと第２のＦＩＲフィルタからなる音響ループで循環させながら出力するので、音響効果を増強した後部残響音をスピーカから放音させることができる。
【００１４】
（４）前記後部残響音支援信号生成手段は、前記第１のＦＩＲフィルタの出力側に、前記室の音響条件に基づくフィルタ係数が設定される第４のＦＩＲフィルタを備えたことを特徴とする。
【００１５】
この構成においては、第１のＦＩＲフィルタの出力側に第４のＦＩＲフィルタを備えているので、スピーカと客席との距離が近いために残響音を十分に放音できない場合に、第１のＦＩＲフィルタ及び第２のＦＩＲフィルタによる音響ループで生成した後部残響音支援信号を、この第４のＦＩＲフィルタにより畳み込んで、スピーカから後部残響音を模した音として放音させることができる。したがって、音響条件の悪い室内においても、客席の聴取者に音源から発した音の後部残響音を聞かせることができる。
【発明の効果】
【００１６】
この発明によれば、スピーカからマイクロフォンへ帰還する帰還音信号を取り除くことにより、小空間のようにマイクロフォンやスピーカの設置条件が制限されて、従来の音場支援装置ではハウリングが発生する場合でも、ハウリングの発生を抑制して、既存の室内音響条件をベースに音響効果を増強して音場を支援することができる。
【００１７】
また、適応フィルタは、スピーカからマイクロフォンへ至る帰還音が変化すると、この帰還音を減衰させるように、音響帰還路の伝達関数を更新するので、温度・気温により音場が変化する場合や、オペラ公演などのように舞台の条件が変わる場合でも、その変化に応じてハウリングの発生を抑制することができる。
【００１８】
さらに、ハウリングの要因となる初期の強い反射音を取り除くことで、音響帰還路のループゲインを最小限にすることができ、十分な制御範囲を確保することができる。
【００１９】
加えて、ＦＩＲフィルタを用いて人工的に音響フィードバックを創り出すことで、任意の音場を創り出すことができるととも、実測したインパルス応答（Impulse Response）を用いることも可能となり、より自然な音を創り出すことができる。
【００２０】
また、ＦＩＲフィルタにより音響ループを人工的に創り出すことにより、事前にループゲインを推定することが可能となり、また、上記のようにハウリングの発生を抑制できるので、従来の装置において必要であったループゲインの測定やイコライジングといった現場での調整作業を大幅に減らすことができる。
【発明を実施するための最良の形態】
【００２１】
以下の説明では、本発明の適応型音場支援装置を小ホールに設けた場合を一例として説明する。
【００２２】
図１は、適応型音場支援装置の概略の配置図である。音響施設（室）の一例である小ホール６１は、ステージ６５と客席６６を備えている。また、ステージ６５の中央部に楽器とその奏者（以下、音源６７と称する。）が位置し、客席６６の中央部に聴取者６８が着席している。なお、同図には、音源６７を円形で表示している。
【００２３】
図１には、８組の適応型音場支援装置を小ホール６１に設置した場合を示している。すなわち、小ホール６１内を伝搬する音を収音できるように、小ホール６１の天井面６２にマイクロフォン１１−１〜１１−８を所定の間隔で配置する。また、小ホール６１の音響を支援するために、つまり、残響時間の延長やレベル増強などを行った初期反射音及び後部残響音を客席６６に対して放音するために、小ホール６１の側壁面６３にスピーカ５３−１〜５３−４を、側壁面６４に複数のスピーカ５３−５〜５３−８を、それぞれ所定の間隔で配置している。また、適応型音場支援装置の本体は、図外の舞台裏や調整室などに設置している。なお、マイクロフォン及びスピーカの配置、並びに使用する適応型音場支援装置の数量は、音響施設の規模や形状によって異なる。例えば、スピーカを側壁面だけでなく天井面に設けたりスピーカの放音面を天井に向けたりしたスピーカから初期反射音や後部残響音を支援する音を放音するように配置する場合もある。
【００２４】
図２は、適応型音場支援装置の概略のブロック図である。図３は、適応型音場支援装置が生成する初期反射音及び後部残響音の状態を示す図である。
【００２５】
適応型音場支援装置１は、収音部２、ハウリングキャンセル部３、初期反射音生成部４、後部残響音生成部５、加算器６、及び放音部７を備えている。
【００２６】
収音部２は、マイクロフォン１１、ヘッドアンプ１２、及びＡ／Ｄコンバータ１３を備えている。ハウリングキャンセル部３は、遅延回路２１、フィルタ部２３及び伝達系推定部２４を備えた適応フィルタ２２、並びに加算器２５を備えている。初期反射音生成部４は、ＦＩＲフィルタ３１及びイコライザ３２を備えている。後部残響音生成部５は、残響音生成フィルタ４１、加算器４２、ＦＩＲフィルタ４３、イコライザ４４、ＦＩＲフィルタ４５、イコライザ４６、及び残響音再生フィルタ４７を備えている。放音部７は、Ｄ／Ａコンバータ５１、パワーアンプ５２、及びスピーカ５３を備えている。
【００２７】
収音部２は、小ホール６１のような室内空間において伝搬する音を収音して、ディジタル信号に変換して出力する。マイクロフォン１１は、周囲から伝搬する音、すなわち音源６７から放音された音（直接音）や、この音が小ホール６１の壁面・ステージ６５上の大道具などで反射して発生する初期反射音及び後部残響音、並びにスピーカ５３から放音された音など、周囲から伝搬する音を収音する。そして、マイクロフォン１１から出力された収音信号は、ヘッドアンプ１２で増幅され、Ａ／Ｄコンバータ１３でディジタル化されて、ハウリングキャンセル部３の加算器２５に出力される。
【００２８】
ハウリングキャンセル部３は、スピーカ５３からマイクロフォン１１へ至る音響帰還路の伝達関数を推定して、マイクロフォン１１の収音信号から、マイクロフォン１１が収音したスピーカ５３からの帰還音信号を除去する。ここで、適応型音場支援装置１においてハウリングキャンセル部３を設けていない場合、マイクロフォン１１とスピーカ５３との間が所定の距離以下であると、スピーカ５３から放音された音をマイクロフォン１１が収音して、１以上のゲインで増幅する動作を繰り返すので、ハウリングが発生する。しかし、適応型音場支援装置１では、ハウリングキャンセル部３によって、マイクロフォン１１の収音信号から、マイクロフォン１１が収音したスピーカ５３からの帰還音信号が除去されるので、ハウリングの発生を抑制できる。
【００２９】
遅延回路２１は、スピーカ５３からマイクロフォン１１へ帰還する帰還音の時間遅延を推定して、加算器６の出力信号に時間遅延を付与する。そして、遅延回路２１は、適応フィルタ２２のフィルタ部２３及び伝達系推定部２４に信号を出力する。
【００３０】
適応フィルタ２２は、スピーカ５３からマイクロフォン１１に帰還する音響帰還路における音の伝達関数を模擬するフィルタであり、遅延回路２１が遅延した信号をフィルタリングする。そして、適応フィルタ２２は、このフィルタリングした信号を模擬信号として加算器２５へ出力する。
【００３１】
フィルタ部２３は、伝達系推定部２４が推定した音響帰還路の伝達関数に基づいて、遅延回路２１が出力した信号をフィルタリングし、模擬信号として加算器２５へ出力する。
【００３２】
伝達系推定部２４は、遅延回路２１で遅延された過去の音の信号と、加算器２５の出力信号である現在の音の信号と、に基づいて帰還音信号の消去誤差を検出する。そして、伝達系推定部２４は、模擬信号を帰還音信号に一致または近似させるべくフィルタ部２３の伝達関数を推定して自動更新する。伝達系推定部２４は、例えばＬＭＳ（Least Mean Square ）アルゴリズムのような適応アルゴリズムを用いて、伝達関数の更新を行う。
【００３３】
加算器２５は、収音部２が出力した収音信号から適応フィルタ２２の出力信号を差し引いて出力する。つまり、加算器２５は、マイクロフォン１１の収音信号から、スピーカ５３からマイクロフォン１１へ帰還する帰還音信号を差し引いて出力する。加算器２５は、伝達系推定部２４、初期反射音生成部４のＦＩＲフィルタ３１、及び後部残響音生成部５の残響音生成フィルタ４１へ信号を出力する。
【００３４】
初期反射音生成部４は、音源６７から放音された音が小ホール６１の壁面などで反射して発生する初期反射音を模した初期反射音支援信号を生成する。また、初期反射音生成部４は、既存の室内音響条件をベースに、残響時間の延長やレベル増強を行って、音響効果を増強（改善）する。
【００３５】
ＦＩＲフィルタ３１は、小ホール６１の音響条件に基づくフィルタ係数が設定されている。ＦＩＲフィルタ３１は、スピーカ５３からマイクロフォン１１へ帰還する帰還音信号が除去されたマイクロフォン１１の収音信号を畳み込んで、小ホール６１内で発生する初期反射音を模した信号を生成する。また、ＦＩＲフィルタ３１は、既存の室内音響条件、つまり小ホール６１の音響条件に基づいて初期反射音のレベル増強や残響時間の延長を行う。これにより、図３（Ｂ）に示すように、スピーカ５３（図３（Ｂ）には不図示。）から、小ホール６１内の空間が拡張されたように聞こえる初期反射音を放音させることができる。
【００３６】
イコライザ３２は、適応型音場支援装置１の設置時などに初期反射音の周波数特性やゲイン、各タップの時間間隔などを調整するためのものである。
【００３７】
後部残響音生成部５は、音源６７から放音される音の後部残響音を模した後部残響音支援信号を生成する。また、後部残響音生成部５は、既存の室内音響条件をベースに残響時間の延長やレベル増強を行って、音響効果を増強（改善）する。
【００３８】
ここで、以下の説明におけるクリティカルディスタンスとは、音源６７から放音される直接音と、その後部残響音と、のエネルギーバランスが等しくなる距離のことである。ステージ６５とマイクロフォン１１との距離がクリティカルディスタンス以下であると、音源６７から放音される直接音の方がその後部残響音よりもエネルギーが大きくなる。このときには、マイクロフォン１１で音源６７の後部残響音を十分に収音することができない。また、スピーカ５３と客席６６との距離がクリティカルディスタンス以下であると、スピーカ５３から放音される直接音の方がその後部残響音よりもエネルギーが大きくなる。このときには、客席６６が設置された空間に対してスピーカ５３から残響音を十分に放音することができない。
【００３９】
残響音生成フィルタ４１は、小ホール６１の音響条件に基づくフィルタ係数が設定されている。すなわち、適応型音場支援装置１を設置する小ホール６１の音場をシミュレートしたインパルス応答、または小ホール６１において実測したインパルス応答を用いる。
【００４０】
残響音生成フィルタ４１は、小ホール６１の音響条件に基づくフィルタ係数が設定されている。残響音生成フィルタ４１は、スピーカ５３からマイクロフォン１１へ帰還する帰還音信号が除去されたマイクロフォン１１の収音信号を畳み込んで、小ホール６１内で発生する後部残響音を模した疑似信号を生成する。例えば、残響音生成フィルタ４１は、マイクロフォン１１とステージ６５上の音源６７との距離がクリティカルディスタンス以下となり、マイクロフォン１１が収音した収音信号に後部残響音がほとんど含まれていない場合に、後部残響音の疑似信号を生成して付加する。一方、マイクロフォン１１とステージ６５との距離がクリティカルディスタンスを超えている場合には、音源６７から放音される音の後部残響音の方が直接音よりもエネルギーが大きくなる。この場合には、マイクロフォン１１は、音源６７から放音される音の後部残響音を収音できるので、残響音生成フィルタ４１の機能をオフにしておき、加算器２５が出力した信号が残響音生成フィルタ４１を通過するように設定する。
【００４１】
加算器４２は、残響音生成フィルタ４１から出力された信号と、ＦＩＲフィルタ４５からイコライザ４６を介して出力された信号と、を加算して、ＦＩＲフィルタ４３へ信号を出力する。
【００４２】
ＦＩＲフィルタ４３は、図３（Ａ）に示すように、小ホール６１に仮想的に連設した所定の大きさのカップルドルーム（Coupled Room）７１の音響条件に基づくフィルタ係数が設定されている。ＦＩＲフィルタ４３は、イコライザ４４を介してＦＩＲフィルタ４５及び残響音再生フィルタ４７へ信号を出力する。
【００４３】
イコライザ４４は、適応型音場支援装置１の設置時などに後部残響音の周波数特性やゲイン、各タップの時間間隔などを調整するためのものである。
【００４４】
ＦＩＲフィルタ４５は、図３に示すように、適応型音場支援装置１を設置する小ホール６１（以下、オリジナル空間とも称する。）の音響条件に基づくフィルタ係数が設定されている。すなわち、ＦＩＲフィルタ４５には、オリジナル空間の音場をシミュレートしたインパルス応答、またはオリジナル空間で実測したインパルス応答を用いる。ＦＩＲフィルタ４５は、イコライザ４６を介して加算器４２へ信号を出力する。
【００４５】
イコライザ４６は、適応型音場支援装置１の設置時などに後部残響音の周波数特性やゲイン、各タップの時間間隔などを調整するためのものである。
【００４６】
ここで、本発明では、ＦＩＲフィルタ４３とＦＩＲフィルタ４５をループ状に並列に接続して、ＦＩＲフィルタ４３の入力側から加算器２５が出力した信号が入力され、ＦＩＲフィルタ４３の出力側から信号が取り出されるように構成することで、ＦＩＲフィルタ４３とＦＩＲフィルタ４５との間で後部残響音を模した信号を循環させながら出力させることができる。これにより、図３に示すように、オリジナル空間とカップルドルーム７１内の空間との間で後部残響音が反響しながら、後部残響音が客席の聴取者に届いている状態をシミュレートしたものとなる。したがって、音源６７が発した音が、小ホール６１に連設されたカップルドルーム７１と小ホール６１との間で反響して発生する後部残響音を模した音をスピーカ５３から放音させることができる。また、ＦＩＲフィルタ４５において、後部残響音のレベル増強や残響時間の延長を行うようにフィルタ係数を設定することで、小ホール６１内の空間が拡張されたように聞こえる後部残響音をスピーカ５３から放音させることができる。また、ＦＩＲフィルタ４３には任意のフィルタ係数を設定可能なので、フィルタ係数に応じてカップルドルーム７１の音場を自由に設定することができ、小ホール６１のカップルドルームとして任意の音場を設定できる。
【００４７】
残響音再生フィルタ４７は、小ホール６１の音響条件に基づくフィルタ係数が設定されている。すなわち、適応型音場支援装置１を設置する小ホール６１の音場をシミュレートしたインパルス応答、または小ホール６１において実測したインパルス応答を用いる。残響音再生フィルタ４７は、スピーカ５３と客席６６との距離がクリティカルディスタンス以下となり、残響音を客席６６に対して十分に放音することができない場合などに、ＦＩＲフィルタ４３から出力された信号を畳み込んで、小ホール６１で発生する後部残響音を模した信号を生成して出力する。一方、スピーカ５３と客席６６との距離がクリティカルディスタンスを超えている場合には、音源６７から放音される音の後部残響音の方が直接音よりもエネルギーが大きくなる。この場合には、音源６７から放音される音の後部残響音を模した音をスピーカ５３から放音できるので、残響音再生フィルタ４７の機能をオフにしておき、後部残響音を模した信号が残響音再生フィルタ４７を通過するように設定する。
【００４８】
加算器６は、初期反射音生成部４の出力信号である初期反射音支援信号及び後部残響音生成部５の出力信号である後部残響音支援信号を加算する。そして、加算器６は、放音部７及びハウリングキャンセル部３へ両信号を出力する。
【００４９】
加算器６から放音部７へ出力されたディジタル信号は、Ｄ／Ａコンバータ５１でアナログ信号に変換される。そして、パワーアンプ５２は、初期反射音を模した初期反射音支援信号及び後部残響音を模した後部残響音支援信号を増幅して、スピーカ５３へ両信号を出力する。スピーカ５３は、音源６７から放音された音の初期反射音及び後部残響音を模した音を放音する。
【００５０】
次に、本発明の適応型音場支援装置１を設置時の調整動作について説明する。小ホール６１に適応型音場支援装置１を設置した際に、マイクロフォン１１とステージ６５との距離がクリティカルディスタンス以下となる場合には、前記のように、マイクロフォン１１で音源６７の後部残響音を十分に収音することができない。この場合には、残響音生成フィルタ４１の機能をオンにしておき、マイクロフォン１１の収音信号を畳み込んで、音源６７から放音された音の後部残響音を模した後部残響音支援信号を生成するように設定する。これにより、小ホール６１とカップルドルーム７１との間で反響して残響時間が延長され、レベルが増強された後部残響音を生成することができる。
【００５１】
一方、マイクロフォン１１とステージ６５との距離がクリティカルディスタンスを超えている場合には、音源６７から放音される音の後部残響音の方が直接音よりもエネルギーが大きくなる。この場合には、音源６７から放音される音の後部残響音をマイクロフォン１１で収音できるので、残響音生成フィルタ４１をオフにしておき、信号が残響音生成フィルタ４１を通過するように設定する。これにより、マイクロフォン１１で収音した後部残響音が、さらにカップルドルーム７１で反響した状態、及びカップルドルーム７１と小ホール６１との間で反響した状態を模した後部残響音をスピーカ５３から放音させることができる。
【００５２】
また、小ホール６１に適応型音場支援装置１を設置した際に、スピーカ５３と客席６６の聴取者６８との距離がクリティカルディスタンス以下となる場合には、前記のように、スピーカ５３から後部残響音を十分に放音することができない。この場合には、残響音再生フィルタ４７の機能をオンにしておき、ＦＩＲフィルタ４３及びＦＩＲフィルタ４５による音響ループで生成された信号を畳み込んで、ステージ６５上の音源６７から放音された音の後部残響音を模した信号を生成して出力するように設定する。これにより、小ホール６１及びカップルドルーム７１で反響し、最終的に小ホール６１で反響して客席６６に伝搬する後部残響音を生成してスピーカ５３から放音させることができる。
【００５３】
一方、スピーカ５３と客席６６の聴取者６８との距離がクリティカルディスタンスを超えている場合には、音源６７から放音される音の後部残響音の方が直接音よりもエネルギーが大きくなる。この場合には、スピーカ５３から放音した音は小ホール６１で反響するので、残響音再生フィルタ４７をオフにしておき、後部残響音を模した信号が残響音再生フィルタ４７を通過するように設定する。これにより、小ホール６１及びカップルドルーム７１で反響した後部残響音をスピーカ５３から放音させて、この音を最終的に小ホール６１で反響させて客席６６に伝搬させることができる。
【００５４】
次に、ＦＩＲフィルタ３１、ＦＩＲフィルタ４３、及びＦＩＲフィルタ４５の周波数特性などの調整は、イコライザ３２、イコライザ４４、及びイコライザ４６のイコライジングにより行う。このとき、音源６７から放音された音、及び周囲から伝搬した残響音をマイクロフォン１１で収音させて、スピーカ５３から放音された初期反射音及び後部残響音を確認しながら、所望の音響効果が得られるように調整を行う。
【００５５】
図４は、ＦＩＲフィルタによる音響効果の改善の状態を示すグラフである。適応型音場支援装置１では、ＦＩＲフィルタ３１、ＦＩＲフィルタ４３、及びＦＩＲフィルタ４５に設定するインパルス応答特性を変更・調整して、図４（Ａ）に示すようにインパルス応答の各タップにおける残響減衰カーブの傾きを変更することで、室内空間における平均吸音率を変更したような音響効果が得られる。また、図４（Ｂ）に示すようにインパルス応答の各タップの間隔を変更することで、ルームサイズを変更したような音響効果が得られる。
【００５６】
例えば、ＦＩＲフィルタ４３に設定するインパルス応答特性を変えることで、カップルドルーム７１の広さを変更したように音場を変化させることができ、後部残響音の音響特性を変化させることができる。また、ＦＩＲフィルタに小ホール６１において実測したインパルス応答を用いることで、より自然な音を創り出すことができる。さらに、ＦＩＲフィルタ４３及びＦＩＲフィルタ４５によって音響ループを人工的に創り出しているので、事前にループゲインを推定することが可能となる。したがって、従来の音場支援装置では調整に時間が必要であったループゲインの測定やイコライジングといった現場での調整作業を大幅に減らすことができる。
【００５７】
次に、適応型音場支援装置１の動作について説明する。適応型音場支援装置１は、ステージ６５上の音源６７から放音された音、周囲から伝搬した音、及びスピーカ５３から放音された音（音源６７から放音された音の初期反射音及び後部残響音を模した音）をマイクロフォン１１で収音する。ハウリングキャンセル部３は、スピーカ５３からマイクロフォン１１へ至る音響帰還路の伝達関数を推定して、マイクロフォン１１が収音したスピーカ５３からの帰還音信号を模擬する模擬信号を生成する。加算器２５は、マイクロフォン１１の収音信号から模擬信号を減算することで、マイクロフォン１１が収音した帰還音信号を取り除いて、初期反射音生成部４及び後部残響音生成部５へ信号を出力する。
【００５８】
初期反射音生成部４は、音源６７の初期反射音を模した初期反射音支援信号を生成して、加算器６へ出力する。また、後部残響音生成部５は、音源６７が発した音がカップルドルーム７１及び小ホール６１で反響した後部残響音を模した信号を生成して加算器６へ出力する。加算器６は、音源６７の初期反射音及び後部残響音を模した支援信号をスピーカ５３へ出力する。スピーカ５３は、音源６７の初期反射音及び後部残響音を模した音を出力する。
【００５９】
以上のように、本発明の適応型音場支援装置１では、適応フィルタ２２を用いたハウリングキャンセル部３を備えているので、気温の変化や音場の変化が発生したり、ステージ６５上に設置する大道具などの条件が変わったりしても、ハウリングの発生を防止できる。また、本発明の適応型音場支援装置１では、ハウリングキャンセル部３により、スピーカ５３からマイクロフォン１１への帰還信号を取り除くことができるので、マイクロフォンとスピーカとの距離がクリティカルディスタンス以下となる小空間であっても、ハウリングが発生することなく、既存の室内音響条件をベースに残響音の響きを豊かにすることができる。
【００６０】
なお、以上の説明では、本発明の適応型音場支援装置を小ホールに設けた場合を例に挙げて説明したが、本発明はこれに限るものではなく、音響施設やリスニングルームなど音が反響して初期反射音や後部残響音が発生する室であればどのような室でも適用可能である。例えば、本発明の適応型音場支援装置を大ホールや中ホールに設けた場合でも、わずかな調整で、初期反射音及び後部残響音の響きを豊かにすることができる。
【００６１】
また、以上の説明では、初期反射音生成部４及び後部残響音生成部５にＦＩＲフィルタを用いた場合を例に挙げて説明したが、本発明はこれに限るものではなく他のフィルタを用いても良い。例えば、ＩＩＲフィルタなどを用いることが可能である。
【図面の簡単な説明】
【００６２】
【図１】適応型音場支援装置の概略の配置図である。
【図２】適応型音場支援装置の概略構成を示すブロック図である。
【図３】適応型音場支援装置が生成する初期反射音及び後部残響音の状態を示す図である。
【図４】ＦＩＲフィルタによる音響効果の改善の状態を示すグラフである。
【符号の説明】
【００６３】
１−適応型音場支援装置    ２−収音部    ３−ハウリングキャンセル部
４−初期反射音生成部    ５−後部残響音生成部    ６−加算器    ７−放音部
１１−マイクロフォン    １２−ヘッドアンプ    １３−Ａ／Ｄコンバータ
２１−遅延回路    ２２−適応フィルタ    ２３−フィルタ部
２４−伝達系推定部    ２５−加算器
３１，４３，４５−ＦＩＲフィルタ    ３２，４４，４６−イコライザ
４１−残響音生成フィルタ    ４２−加算器    ４７−残響音再生フィルタ
５１−Ｄ／Ａコンバータ    ５２−パワーアンプ    ５３−スピーカ
６１−小ホール    ６５−ステージ    ６６−客席    ６７−音源
６８−聴取者    ７１−カップルドルーム
【図１】
2006245669.tif 000003
【図２】
2006245669.tif 000004
【図３】
2006245669.tif 000005
【図４】
2006245669.tif 000006